(57)【特許請求の範囲】
【請求項１】
対向する前後側面板と対向する左右側面板とからなる筒状の箱本体の前記前後側面板に、上端開口を閉じる天内蓋が、また、前記左右側面板の上端に、組立時に前記天内蓋の左右両側部を押さえる天外蓋が、それぞれ連設され、前記天外蓋は、組立時に前記天内蓋の上面より上方へ肉厚相当分だけ突出して係合用突部を形成し、一方、前記左右側面板の下端に底内蓋が、また前記前後側面板の下端に底外蓋が連設され、前記底外蓋の左右両側部は、前記天外蓋の平面形状に対応するように切除され、この切除部が係合用凹部を形成し、前記天外蓋には、先端部から前記左右側面板方向に向かうそれぞれ２本の切込みが設けられており、前記天外蓋の２本の切込みの間を通るように封緘用テープが貼着されていることを特徴とする包装箱。
【請求項２】
前記底外蓋に、前記天外蓋の先端部と対応した切除部先端から前記左右側面板方向と反対方向に向かう切込みが設けられていることを特徴とする請求項１に記載の包装箱。
【請求項３】
隣り合った前記切込みの間の肉厚が薄くなっていることを特徴とする請求項１または２に記載の包装箱。
【請求項４】
前記天内蓋には、その左右の長さが前記前後側面板の左右の長さより、長く形成された押し込み防止部が、少なくとも部分的に設けられていることを特徴とする請求項１から３のいずれか１項に記載の包装箱。
【発明の詳細な説明】
【技術分野】
【０００１】
本発明は、包装箱に関するものである。特に積み重ねたときに、上下の包装箱がずれないようにした包装箱に関するものである。
【背景技術】
【０００２】
食品、あるいは非食品でも、包装箱に収納されるものが多くある。これらの商品の収納された包装箱は、流通でのトラック輸送や、店舗から消費者に配達、あるいは消費者が持ち帰る場合でも、積み重ねられて運ばれることがしばしばある。このように運ばれる際に積み重ねた状態で、ずれにくくした包装箱が開発されている。
【０００３】
例えば、前後、左右側面板からなる箱本体のうちの前後側面板に、下端開口を閉じる下蓋部材が、また左右側面板の下端に、組立時に上記下蓋部材の左右両側部を支える支え片が、それぞれ連成され、支え片は組立時に下蓋部材の下面より下方へ肉厚相当分だけ突出して係合用突部を形成し、一方左右側面板の上端の少なくともいずれか一方に、内上蓋部材が、また前後側面板の上端に、外上蓋部材が連成され、外上蓋部材の左右両側部は、支え片の平面形状に対応するように切除され、この切除部が係合用凹部を形成している包装箱がある（特許文献１）。
【０００４】
この包装箱をテープ貼りで封緘した場合、貼ったテープにより、支え片の端部がつぶれてしまい、切除部が形成する係合用凹部への係合性が低下してしまう。また、係合用突部が下方へ突出しているため、平坦な床面などに置いた場合、支え片がつぶれてしまう恐れもある。
【０００５】
公知文献を以下に示す。
【先行技術文献】
【特許文献】
【０００６】
【特許文献１】実開昭５９−１２６９２１号公報
【発明の概要】
【発明が解決しようとする課題】
【０００７】
本発明は上記した事情に鑑みてなされたもので、上下に積み重ねたときに、係合してずれることがなく、天面をテープ貼りして封緘しても、係合性が低下してしまうことのない包装箱を提供することを課題としている。
【課題を解決するための手段】
【０００８】
本発明は係る課題に鑑みなされたものであり、請求項１の発明は、対向する前後側面板と対向する左右側面板とからなる筒状の箱本体の前記前後側面板に、上端開口を閉じる天内蓋が、また、前記左右側面板の上端に、組立時に前記天内蓋の左右両側部を押さえる天外蓋が、それぞれ連設され、前記天外蓋は、組立時に前記天内蓋の上面より上方へ肉厚相当分だけ突出して係合用突部を形成し、一方、前記左右側面板の下端に底内蓋が、また前記前後側面板の下端に底外蓋が連設され、前記底外蓋の左右両側部は、前記天外蓋の平面
形状に対応するように切除され、この切除部が係合用凹部を形成し、前記天外蓋には、先端部から前記左右側面板方向に向かうそれぞれ２本の切込みが設けられており、前記天外蓋の２本の切込みの間を通るように封緘用テープが貼着されていることを特徴とする包装箱である。
【０００９】
本発明の請求項２の発明は、前記底外蓋に、前記天外蓋の先端部と対応した切除部先端から前記左右側面板方向と反対方向に向かう切込みが設けられていることを特徴とする請求項１に記載の包装箱である。
【００１０】
本発明の請求項３の発明は、隣り合った前記切込みの間の肉厚が薄くなっていることを特徴とする請求項１または２に記載の包装箱である。
【００１１】
本発明の請求項４の発明は、前記天内蓋には、その左右の長さが前記前後側面板の左右の長さより、長く形成された押し込み防止部が、少なくとも部分的に設けられていることを特徴とする請求項１から３のいずれか１項に記載の包装箱である。
【発明の効果】
【００１２】
本発明の包装箱は、上下に積み重ねたときに、係合してずれることがなく、天面をテープ貼りして封緘しても、係合性が低下してしまうことがない。
【図面の簡単な説明】
【００１３】
【図１】本発明の包装箱の一例を積み重ねる際の上位の包装箱の底面と下位の包装箱の天面とを示す説明図である。
【図２】本発明の包装箱の一例のブランクを示した説明図である。
【図３】本発明の包装箱の他の例を積み重ねる際の上位の包装箱の底面と下位の包装箱の天面とを示す説明図である。
【図４】本発明の包装箱の他の例のブランクを示した説明図である。
【発明を実施するための形態】
【００１４】
以下、本発明を実施するための形態につき説明する。
図１は、本発明の包装箱の一例を積み重ねる際の上位の包装箱の底面と下位の包装箱の天面とを示す説明図、図２は、本発明の包装箱の一例のブランクを示した説明図である。
【００１５】
本例の包装箱１００は、図１のように、対向する前側面板１、後側面板２（図１では見えない）と、対向する左側面板３、右側面板４（図１では見えない）とで筒状の箱本体が形成されている。
【００１６】
箱本体の前側面板１と後側面板２の上端に、上端開口を閉じる天内蓋５、５が、また左側面板３、右側面板４の上端に、組立時に天内蓋５、５の左右両側部を押さえる天外蓋６、６が、それぞれ連設されていて、天外蓋６、６は、天内蓋５、５の上面より上方へ肉厚相当分だけ突出して係合用突部を形成している。
【００１７】
一方、左側面板３、右側面板４の下端には底内蓋７、７が連設され、箱本体の下端開口を閉じるように内方に倒され、また前側面板１と後側面板２の下端に底外蓋８、８が連設されていて、底内蓋７、７に重なるように内方に倒されている。そして、底外蓋８、８の左右両側部は、天外蓋６、６の平面形状に対応するように切除され、この切除部９、９が係合用凹部を形成している。
【００１８】
また、天外蓋６、６には、先端部から反対側の左右側面板３、４方向に向かう２本の切込み１０がそれぞれ設けられている。そして、２本の切込み１０の間を通るように封緘用テープ１４が貼られていて、天面が封緘されている。また、底外蓋８、８には、前記切除部９、９より反対側の左側面板３あるいは右側面板４に向かう切込み１１、１１が設けられている。
【００１９】
さらに、図１では見えないが、筒状の箱本体を周方向に１周するティアテープが内側に貼られている。このティアテープで箱本体を切断するきっかけとなる切断部１２が、ティアテープを挟む２本の切断線と、縦方向のティアテープを切断し上方へ延びる切断線で、
前側面板１と後側面板２に設けられている。
【００２０】
この切断から前側面板１や後側面板２を部分的に切り取るための易切断線１３が上方に向けて設けられている。本例では、易切断線１３は、前側面板１あるいは後側面板２と天内蓋５、５との境界線上でつながっている。
【００２１】
このように、包装箱１００の天面には天外蓋６、６が天内蓋５、５の上面より上方へ肉厚相当分だけ突出して係合用突部を形成し、底面には底外蓋８、８の左右両側部に係合用突部に対応するように切除された係合用凹部が設けられているので、包装箱１００を積み重ねたときに、係合用凹部に係合用突部が係合してずれることがない。
【００２２】
また、封緘用テープ１４で天面を封緘しても、天外蓋６、６の２本の切込み１０の間を通るように封緘用テープ１４を貼れば、２本の切込み１０の間が封緘用テープ１４でつぶれても、２本の切込み１０の外側は、つぶれないので、係合性が低下してしまうことがない。
【００２３】
さらにまた、底面もホットメルトなどの接着剤で封緘するのではなく、封緘用テープで封緘しても、底外蓋８、８の切込み１１の間を通るように封緘用テープを貼れば、切込み１１の間が封緘用テープでつぶれても、２本の切込み１１の外側は、つぶれないので、係合性が低下してしまうことがない。
【００２４】
前側面板１と後側面板２には、切断部１２が設けられていて、ここから、ティアテープで前側面板１や後側面板２を横方向に切断し、易切断線１３によって前側面板１や後側面板２を部分的に切り取ることができる。このように開くと積み重ねた状態で、包装箱１００の中に収納された商品を展示することもできる。
【００２５】
この包装箱１００は、図２に示す、ブランク１０１より製函される。
ブランク１０１は、左から後側面板２、左側面板３、前側面板１、右側面板４が連設されている。また、後側面板２の左側には、箱本体を筒状に形成するための貼着片ａが設けられている。
【００２６】
後側面板２と前側面板１の上端には天内蓋５、５が設けられ、左側面板３と右側面板４の上端には天外蓋６、６が設けられている。天内蓋５、５は、図の縦方向の長さが、製函したときに、それぞれの先端が突合せになるように、形成されている。
【００２７】
また、天内蓋５、５には、横方向の長さが部分的に後側面板２と前側面板１の横方向（左右）の長さより、長く形成された押し込み防止部１５が、少なくとも部分的に設けられている。この押し込み防止部１５が設けてあるので、天内蓋５、５が上から押されて、箱本体の中に落ち込みにくくなり、ひいては、包装箱１００が座屈するのを防いでいる。
【００２８】
天外蓋６、６は、左側面板３、右側面板４側が幅広く先端側が狭い略台形に近い形状になっている。図の縦方向の長さは、天内蓋５、５の横方向（左右）の長さの半分以下であって、係合用凹部に係合用突部が係合できれば、特に問題はないが、三分の一以下で、五分の一以上であれば係合が安定して好ましい。
【００２９】
そして、天外蓋６、６には、先端より左側面板３あるいは右側面板４の方向に向かう２本の切込み１０が設けられている。また、２本の切込み１０の間には肉厚が薄くなった薄肉部ｂが設けられている。
【００３０】
薄肉部ｂは、コルクによるつぶし加工や、半切ミシン刃によるつぶし加工などによって
設ける。こうすることによって、封緘用テープを貼ったときに、天外蓋６と天内蓋５の間の段差が少なくなり、テープ貼りでの密着性を向上させることができる。
【００３１】
前側面板１と後側面板２の下端には底外蓋８、８が設けられ、左側面板３と右側面板４の下端には底内蓋７、７が設けられている。底外蓋８、８は、図の縦方向の長さが、製函したときに、それぞれの先端が略突合せになるように形成されている。また、底外蓋８、８の左右両側部は、天外蓋６、６の平面形状に対応するように切除された切除部が係合用凹部を形成している。
【００３２】
さらに、底外蓋８、８には、先端部寄りに左右方向の切込み１１がそれぞれの両端より設けられている。そして、切込み１１と先端部の間には肉厚が薄くなった薄肉部ｃが設けられている。薄肉部ｃは前述の薄肉部ｂと同様にして設けることができる。薄肉部ｃにより、底部をテープ貼りで封緘した場合、底外蓋８、８と底内蓋７、７の間の段差が少なくなり、テープ貼りでの密着性を向上させることができる。
【００３３】
底内蓋７、７は、横方向の長さが、左側面板３や右側面板４の横方向の長さと同じか、やや短く形成され、縦方向の長さは、製函したときに、それぞれの先端が略突合せになるように形成されている。
【００３４】
また、貼着片ａ、後側面板２、左側面板３、前側面板１、右側面板４の下端寄りには、横方向にティアテープ１６が内側に貼られている。そして、前側面板１と後側面板２には、ティアテープ１６で箱本体を切断するきっかけとなる切断部１２が設けられている。切断部１２は、ティアテープ１６を挟む２本の切断線と、ティアテープ１６を切断し上方へ延びる縦方向の切断線で形成されている。
【００３５】
さらに、この縦方向の切断線の上方には、前側面板１や後側面板２を部分的に切り取るための易切断線１３が上方に向けて設けられ、易切断線１３は、前側面板１あるいは後側面板２と天内蓋５、５との境界線上でつながっている。
【００３６】
このブランク１０１の貼着片ａ、後側面板２、左側面板３、前側面板１、右側面板４の間の折罫をそれぞれ内方に折り、右側面板４の内面側の右端部に、貼着片ａの外面側を、ホットメルトなどの接着剤で貼着し、筒状の箱本体を形成する。
【００３７】
次に、底内蓋７、７を内方に倒し、その外面上に底外蓋８、８を重なるように倒し、底面を封緘する。封緘は、ホットメルトなどの接着剤を用いて、底内蓋７、７の外面と底外蓋８、８の内面を接着してもよいし、切込み１１の間を通るように、封緘用テープを貼ってもよい。
【００３８】
封緘用テープを用いて封緘した場合は、底外蓋８、８に薄肉部ｃが設けられているので、底外蓋８、８と底内蓋７、７の間の段差が少なくなっていて、テープ貼りでの密着性が向上される。
【００３９】
次に、天内蓋５、５を内方に倒し、その外面上に天外蓋６、６を重なるように倒し、天面を封緘する。封緘は、切込み１０の間を通るように、封緘用テープを貼って行うことができる。このとき、天外蓋６、６に薄肉部ｂが設けられているので、天外蓋６、６と天内蓋５、５の間の段差が少なくなっているので、テープ貼りでの密着性が向上される。
【００４０】
以上のようにして、包装箱１００は製函することができる。
製函された包装箱１００は、輸送や保管のため積み重ねられる。このとき、上位の包装箱１００の底面の係合用凹部と、下位の包装箱１００の天面の係合用突部が係合され、ずれ
ることがなく、安定して積み重ねておくことができる。
【００４１】
天外蓋には、それぞれ２本の切込みが設けられているので、封緘用テープで封緘してあっても、２本の切込みの間がつぶれるだけで、２本の切込みの外側はつぶれることがなく、係合が外れやすくなることがない。
【００４２】
また、２本の切込みの間は薄肉部ｂが設けられていれば、封緘用テープを貼るときに、天内蓋５、５と天外蓋６、６の間に段差が少なく、テープ貼りでの密着性が向上され、時間経過によって、封緘用テープを貼った力で天外蓋６、６が薄くなることもなく、封緘が緩むこともない。
【００４３】
また、底面においても、底外蓋８、８に切込み１１が設けられていて、また、切込み１１と底外蓋８、８の先端部の間に薄肉部ｃが設けられていれば、底面を封緘用テープで封緘する場合に同様な効果が得られる。
【００４４】
そして、店舗などで商品を展示する際に、包装箱１００を積み重ねておいて、前側面板１や後側面板２の切断部１２をきっかけに、ティアテープ１６に沿って、前側面板１や後側面板２を横方向に切断し、易切断線１３により切り取って、前側面板１や後側面板２を部分的に開口することができる。このようにすれば、別途陳列棚などを用意しなくても、包装箱１００のまま商品を展示することができる。
【００４５】
図３は、本発明の包装箱の他の例を積み重ねる際の上位の包装箱の底面と下位の包装箱の天面とを示す説明図、図４は、本発明の包装箱の他の例のブランクを示した説明図である。
【００４６】
係合用突部を形成する天外蓋６、６の形状は、包装箱１００のような、左側面板３、右側面板４側が幅広く先端側が狭い略台形に近い形状に限られることはない。左右２つの天外蓋６、６で、上に乗せた包装箱が、前後左右にずれないように、係合用凹部と係合されればよい。
【００４７】
たとえば、図３に示す包装箱２００、図４に示すブランク２０１のようになっていてもよい。包装箱２００の天外蓋６、６の形状は、左側面板３、右側面板４側の幅が狭く、先端側の幅がひろくなった略逆台形に近い形状になっている。また、底外蓋８、８の左右両側部は、この天外蓋６、６の平面形状に合わせた形状で切除されている。このような形状でも、係合されてずれることがない。
【００４８】
また、包装箱２００では、易切断線１３が前側面板１あるいは後側面板２と天内蓋５、５との境界線上で止まらず、天内蓋５、５に渡って設けられている。これにより、前側面板１や後側面板２を部分的に切り取ることができるともに、天内蓋５まで切り取ることができるので、包装箱２００の中に収納された商品を展示することもできる。
【符号の説明】
【００４９】
１００、２００・・・包装箱
１０１、２０１・・・ブランク
１・・・前側面板
２・・・後側面板
３・・・左側面板
４・・・右側面板
５、５・・・天内蓋
６、６・・・天外蓋
７、７・・・底内蓋
８、８・・・底外蓋
９、９・・・切除部
１０・・・切込み
１１・・・切込み
１２・・・切断部
１３・・・易切断線
１４・・・封緘用テープ
１５・・・押し込み防止部
１６・・・ティアテープ
ａ・・・貼着片
ｂ、ｃ・・・薄肉部
【図１】
0006432193.tif 000002
【図２】
0006432193.tif 000003
【図３】
0006432193.tif 000004
【図４】
0006432193.tif 000005